(57)【特許請求の範囲】
【請求項１】
天板の両側部を側面視略コ字形の脚体で支持してなるデスクの脚装置において、前記脚体は、少なくとも上下方向に延び板金加工で作製した脚板部と、該脚板部の上端に取付ける上支持部材と、該脚板部の下端に取付ける下支持部材とを備え、前記脚板部は、少なくとも胴板と、上補強部材及び下補強部材とからなり、前記胴板は、両側面板と後面板とを有する断面略コ字形で、両側面板の少なくとも上下縁に内向きに対向する上、下折曲縁を形成するとともに、一方又は両方の側面板の後部に縦ダクトを形成するための凹溝を形成してなり、前記上補強部材及び下補強部材は、同一部材で左右対称形であり、互に上下反転して使用し、前記上支持部材又は下支持部材の固定部を受け入れる断面略コ字形の装着部と、該装着部の後端で左右中央部から後方へ延びた横幅が狭い当止部とからなり、前記上補強部材及び下補強部材を前方から前記胴板の両側面板間に挿入し、前記当止部の後端を後面板に当止した状態で両側面板に溶接したことを特徴とするデスクの脚装置。
【請求項２】
前記上補強部材及び下補強部材の装着部は、両側片と底板とからなる断面略コ字形であり、前記上補強部材の両側片の上端を前記胴板の上折曲縁に当止して位置決めしてなる請求項１記載のデスクの脚装置。
【請求項３】
前記胴板の両側面板の前縁に、内向きに対向する前折曲縁を形成し、断面略コ字形の前補強部材の両折曲片を該前折曲縁に当止するとともに、上下端を前記上補強部材及び下補強部材の装着部に当止した状態で両側面板に溶接してなる請求項１又は２記載のデスクの脚装置。
【請求項４】
前記上補強部材及び下補強部材の当止部に前記胴板の側面板に形成した縦ダクトの内面を溶接してなる請求項１〜３何れかに記載のデスクの脚装置。
【発明の詳細な説明】
【技術分野】
【０００１】
本発明は、デスクの脚装置に関するものである。
【背景技術】
【０００２】
従来から、天板の両側部を側面視略コ字形の脚体で支持してなるデスクの脚装置は各種提供されている。例えば、本出願人の先願に係る特許文献１に開示された脚体は、薄金属板にて中空状に形成され、該脚体の前端上部から前向きに支持アームを突設し、脚体前部下部には足部材を突設し、足部材に合成樹脂製のカバー体を着脱自在に被嵌してなるものである。ここで、前記脚体の左右両側板の前端に連設する前板の下部と、前記左右両側板の前端とを切欠いて嵌挿口を形成し、該嵌挿口に足部材の基部を嵌挿してスポット溶接にて固着している。この場合、前記支持アームと足部材は、金属板を折曲形成したものであるので、形状に対する自由度が乏しく、デスク全体のデザインにおける制約となっていた。
【０００３】
そこで、本出願人の先願に係る特許文献２には、アルミ押出し成形品の上下部を加工して上下面に前方へ開口した凹所を形成した胴板と、アーム本体とそれより幅狭の基端部を有するアルミダイキャスト品からなる上アームと、アーム本体とそれより幅狭の基端部を有するアルミダイキャスト品からなる下アームとからなり、胴板の上下の凹所内に上アーム及び下アームの基端部を嵌合してボルト連結し、更に前記胴板の前面部分にアルミ押出し成形品の前カバーが嵌着された構造の脚体が開示されている。
【０００４】
しかし、アルミ押出し成形品の胴板の上下部に上アームと下アームを取付ける凹所を形成するとともに、螺孔をタッピング加工するのに手間がかかり、コスト高となる。
【特許文献１】実用新案登録第２５４３１７０号公報
【特許文献２】実用新案登録第２５７８８３５号公報
【発明の開示】
【発明が解決しようとする課題】
【０００５】
そこで、本発明が前述の状況に鑑み、解決しようとするところは、脚板部の上下端部に天板を支持する上支持部材と床面に接地する下支持部材とを取付ける構造として、脚体のデザインに対する自由度を確保しつつ、端部脚体と中間部脚体に共用できる部品を多くしてコスト低減化を図り、また十分な強度を備えたデスクの脚装置を提供する点にある。
【課題を解決するための手段】
【０００６】
本発明は、前述の課題解決のために、天板の両側部を側面視略コ字形の脚体で支持してなるデスクの脚装置において、前記脚体は、少なくとも上下方向に延び板金加工で作製した脚板部と、該脚板部の上端に取付ける上支持部材と、該脚板部の下端に取付ける下支持部材とを備え、前記脚板部は、少なくとも胴板と、上補強部材及び下補強部材とからなり、前記胴板は、両側面板と後面板とを有する断面略コ字形で、両側面板の少なくとも上下縁に内向きに対向する上、下折曲縁を形成するとともに、一方又は両方の側面板の後部に縦ダクトを形成するための凹溝を形成してなり、前記上補強部材及び下補強部材は、同一部材で左右対称形であり、互に上下反転して使用し、前記上支持部材又は下支持部材の固定部を受け入れる断面略コ字形の装着部と、該装着部の後端で左右中央部から後方へ延びた横幅が狭い当止部とからなり、前記上補強部材及び下補強部材を前方から前記胴板の両側面板間に挿入し、前記当止部の後端を後面板に当止した状態で両側面板に溶接してなるデスクの脚装置を構成した（請求項１）。
【０００７】
ここで、前記上補強部材及び下補強部材の装着部は、両側片と底板とからなる断面略コ字形であり、前記上補強部材の両側片の上端を前記胴板の上折曲縁に当止して位置決めしてなるとより好ましい（請求項２）。
【０００８】
また、前記胴板の両側面板の前縁に、内向きに対向する前折曲縁を形成し、断面略コ字形の前補強部材の両折曲片を該前折曲縁に当止するとともに、上下端を前記上補強部材及び下補強部材の装着部に当止した状態で両側面板に溶接してなることがより好ましい（請求項３）。
【０００９】
そして、前記上補強部材及び下補強部材の当止部に前記胴板の側面板に形成した縦ダクトの内面を溶接してなることも好ましい（請求項４）。
【００１０】
（請求項５）。
【発明の効果】
【００１１】
以上にしてなる請求項１に係る発明のデスクの脚装置は、脚体を、少なくとも上下方向に延び板金加工で作製した脚板部と、該脚板部の上端に取付ける上支持部材と、該脚板部の下端に取付ける下支持部材とで構成したので、例えば上支持部材と下支持部材をアルミダイキャスト品で作製することにより、強度を維持しつつ自由な形状に作製することができ、デザインに対する自由度が大きくなり、一方、脚板部は板金加工で作製し、胴板の上下端部で両側面板間に上補強部材及び下補強部材を溶接する簡単な構造であり、しかも上補強部材と下補強部材は同一部材であるので、胴板のみを側面板の一方に縦ダクトを形成して端部脚体用とし、側面板の両方に縦ダクトを形成して中間部脚体用とするので、部品の種類が少なくなり、コスト低減化を図ることができる。また、胴板の上下縁に内向きに上、下折曲縁を形成している場合でも、上補強部材と下補強部材は、上支持部材又は下支持部材の固定部を受け入れる断面略コ字形の装着部と、該装着部の後端で左右中央部から後方へ延びた横幅が狭い当止部とからなるので、胴板の両側面板の前部を若干押し広げながら両側面板間に挿入することができ、また当止部の後端を胴板の後面板に当止した状態で両側面板に溶接することができるので、位置決め精度が高くなる。
【００１２】
請求項２によれば、上補強部材の両側片の上端を前記胴板の上折曲縁に当止して位置決めするので、胴板に対する上補強部材の溶接位置を簡単且つ正確に設定することができ、溶接作業を短時間で行うことができる。
【００１３】
請求項３によれば、胴板の両側面板の前縁の前折曲縁に、前補強部材の両折曲片を当止するとともに、前補強部材の上下端を上補強部材及び下補強部材の装着部に当止した状態で両側面板に溶接するので、上補強部材、前補強部材及び下補強部材の位置決め精度が高くなるとともに、断面略コ字形の胴板の上下端部及び前端部の開放部を、上補強部材、下補強部材及び前補強部材で連結して塞き、脚板部が閉じた箱構造のとなるので強度が非常に高くなる。
【００１４】
請求項４によれば、上補強部材及び下補強部材の当止部に胴板の側面板に形成した縦ダクトの内面を溶接することにより、上補強部材と下補強部材とが縦ダクトによって連結されるので、胴板の側面板の剛性が高くなり更に脚板部の強度が向上する。
【発明を実施するための最良の形態】
【００１５】
次に、添付図面に示した実施形態に基づき、本発明を更に詳細に説明する。図１は本発明に係る組立式デスクの全体斜視図、図２〜図４はその概要、図５〜図１７はその詳細を示し、そして図１８〜図２４は本発明の詳細を示し、図中符号１はＬ形天板、２は矩形天板、３は端部脚体、４は中間部脚体、５はコーナー脚体、６は幕板、７は目隠しパネル、８は上キャビネットをそれぞれ示している。
【００１６】
本実施形態の組立式デスクは、図１に示すように、Ｌ形天板１と矩形天板２の端部側に、互に鏡像関係にある端部脚体３，３を配置するとともに、Ｌ形天板１と矩形天板２の連結部に中間部脚体４を配置し、更にＬ形天板１のコーナー部にコーナー脚体５を配置し、それらを互に後述の連結金具を介してビーム９，…で連結するとともに、前記端部脚体３とコーナー脚体５との間、コーナー脚体５と中間部脚体４との間、及び中間部脚体４ともう一つの端部脚体３との間で、その後端面間に幕板６，…を着脱可能に取付けている。更に、本実施形態の組立式デスクには、前記幕板６の背面側に目隠しパネル７を着脱可能に取付けることができるように構成している。そして、前記Ｌ形天板１の後縁とその幕板６との間にはダクト開口１０が形成されており、該Ｌ形天板１の下方で下端が固定された一対の支柱１１，１１が前記ダクト開口１０を通して立設され、両支柱１１，１１の上端部に上キャビネット８が支持されている。
【００１７】
前記端部脚体３とビーム９との連結はＴ字形金具１２を用いて行い（図５及び図６参照）、前記中間部脚体４とビーム９との連結は十字形金具１３を用いて行い（図７参照）、そしてコーナー脚体５との連結はコーナー脚体５に取付けた受け金具１４とビーム９の端部に連結した連結金具１５を互に所定角度で連結する（図８〜図１０参照）。
【００１８】
本実施形態に係る組立式デスクの基本構成は、二つの端部脚体３と、中間部脚体４及びコーナー脚体５をデスク形態に応じて適数用い、それに幕板６とビーム９、更に二つＴ字形金具１２と、十字形金具１３及び受け金具１４、連結金具１５をデスク形態に応じて適数用いる。それに加えてＬ形天板１や矩形天板２をデスク形態に応じて適数用いる。図１に示したデスク形態は、Ｌ形天板１と矩形天板２を連結した平面視Ｌ字形である。この例では、二つの端部脚体３，３と、各一つの中間部脚体４及びコーナー脚体５と、３枚の幕板６，…と、３本のビーム９，…と、二つＴ字形金具１２，１２と、一つの十字形金具１３及び一つの受け金具１４と二つの連結金具１５，１５を用いる。
【００１９】
そして、前記端部脚体３とコーナー脚体５を所定位置に立起保持し、前記ビーム９の一端にＴ字形金具１２を連結するとともに、他端に連結金具１５を連結し、Ｔ字形金具１２を端部脚体３の上端部の前後中間部に連結するとともに、連結金具１５を前記コーナー脚体５の上端部の前方寄りに取付けた受け金具１４に所定角度（９０°Ｌ形天板１であれば４５°）で連結する。また、前記中間部脚体４を前記コーナー脚体５から所定距離だけ離した位置に立起保持し、ビーム９の一端に十字形金具１３を連結するとともに、他端に連結金具１５を連結し、十字形金具１３を中間部脚体４の上端部の前後中間部に連結するとともに、連結金具１５を前記コーナー脚体５に取付けた前記受け金具１４に所定角度（９０°Ｌ形天板１であれば４５°）で連結する。それから、前記幕板６を前記端部脚体３とコーナー脚体５の後端面の上部に渡して上方から嵌合係止し、もう一辺側にも前記幕板６を前記コーナー脚体５と中間部脚体４の後端面の上部に渡して上方から嵌合係止する。この際、前記幕板６の上昇を抑制して係合状態を維持する。また、前記端部脚体３の上端部の前方寄り位置には、内側方に直角に向くように短連結板１６の一端部を取付け、前記中間部脚体４の上端部の前方寄り位置には、両側方に直角に向くように長連結板１７の中央部を取付けている。また、前記コーナー脚体５の上端部の後部寄り位置に固定板１８を取付けている。そして、前記端部脚体３、中間部脚体４及びコーナー脚体５の上に、前記Ｌ形天板１を載置し、下方から前記ビーム９，９、短連結板１６、長連結板１７及び固定板１８に挿通したネジ１９，…を該Ｌ形天板１の下面に形成した螺孔２０，…に螺合して取付けている。
【００２０】
そして、前記Ｌ形天板１の一側方に矩形天板２を延設するには、先ず前記中間部脚体４に連結した前記十字形金具１３にビーム９の一端を連結するとともに、該ビーム９の他端にＴ字形金具１２を連結し、前記中間部脚体４から所定距離だけ離して端部脚体３を立起するとともに、該端部脚体３の上端部の前後中間部に前記Ｔ字形金具１２を連結し、それから幕板６を該端部脚体３と前記中間部脚体４の後端面の上部に渡して上方から嵌合係止し、最後に前記矩形天板２を当該端部脚体３と中間部脚体４の上に載置し、下方から前記ビーム９、端部脚体３の上端部の前方寄り位置に内側方へ向けて取付けた短連結板１６と前記中間部脚体４の上端部の前方寄り位置に両側方へ向けて取付けた長連結板１７に挿通したネジ１９，…を該矩形天板２の下面に形成した螺孔２０，…に螺合して取付けている。
【００２１】
また、前記目隠しパネル７を前記幕板６の背面側に取付けるには、図１５に示すように、前記幕板６の両端部上端に設けた上端キャップ２１と両端部下端に設けた受片２２を利用し、前記目隠しパネル７の前面であって両側下部に縦方向に取付けた係止金具２３で保持する。具体的には、前記上端キャップ２１には前方下降した傾斜面２４を有し、前記受片２２には係合孔２５を有し、前記係止金具２３の下端の突片２６を前記受片２２の係合孔２５に上方から落とし込むと同時に、該係止金具２３の上端のフック片２７を前記上端キャップ２１の傾斜面２４で載支するとともに、フック片２７を傾斜面２４にネジ止めする。尚、前記フック片２７の傾斜角度は、前記上端キャップ２１の傾斜面２４と一致させている。
【００２２】
更に、上キャビネット８を設ける場合には、前記Ｌ形天板１と幕板６との間に形成された前記ダクト開口１０から上方へ立ち上げた一対の支柱１１，１１の上端部間に上キャビネット８を取付けるのである。ここで、前記上キャビネット８は、前記コーナー脚体５と中間部脚体４との間でＬ形天板１の後部の上位、あるいは端部脚体３と中間部脚体４との間で矩形天板２の後部の上位に設けることも可能である。
【００２３】
次に、デスクの全体形状について説明する。前記Ｌ形天板１は、平面視略Ｌ字形で、コーナー部の角度は９０°、１２０°、１３５°のものがあり、着座側のコーナー内角部には滑らかに湾曲した凹部２８を形成している。本実施形態では角度が９０°のものを示している。また、前記矩形天板２は平面視長方形であるが、両側縁の奥行幅が他の連設する天板の奥行幅と一致すれば、左右の側縁で奥行幅を変え、前縁を滑らかな曲線で結んだ形状であっても構わない。図２に示すように、前記Ｌ形天板１及び矩形天板２の前端縁には、後下方へ直線的に傾斜した斜縁２９を形成している。
【００２４】
前記端部脚体３と中間部脚体４は、図５〜図７に示すように略同一構造であり、上下方向に延びた偏平四角筒状の脚板部３０と、該脚板部３０の上端に取付ける上支持部材３１と、該脚板部３０の下端に取付ける下支持部材３２と、前記脚板部３０の前端面に取付ける化粧部材３３とから概略構成されている。前記端部脚体３と中間部脚体４の違いは、脚板部３０に設ける縦ダクト３４の凹溝を形成する位置だけであり、端部脚体３では内側面に縦ダクト３４を設け、中間部脚体４では両側面に縦ダクト３４，３４を設けている。尚、前記縦ダクト３４には、着脱可能にダクトカバー３５を装着している。
【００２５】
ここで、前記脚板部３０は板金加工で作製し、前記上支持部材３１と下支持部材３２はアルミダイキャストで作製し、前記化粧部材３３はアルミ押出し成形によって作製しているため、各部品に同色の塗装を施しているものの、製造方法の違いによって色艶が微妙に異なり、色彩的には統一性に乏しい。そこで、図２及び図４に示すように、前記端部脚体３と中間部脚体４には、大胆なカット面を形成し、視覚的な統一を図っている。
【００２６】
前記上支持部材３１は、奥行方向にわたって同一横幅を有し、前記脚板部３０へ連結する後部の固定部３６を除き、前部のアーム部３７は上面側が水平で且つ前方に向けて上下厚を漸減した概略形状を有している。そして、前記上支持部材３１のアーム部３７の下面側には、両側に約４５°の角度の側カット面３１Ａ，３１Ａを形成し、該側カット面３１Ａは前方に向けてカット幅を広くすることにより、下面３１Ｂの横幅を前方に向けて漸減させ、更に先端部に前記Ｌ形天板１及び矩形天板２の斜縁２９と略直線状になる斜め前上方に傾斜した前カット面３１Ｃを形成している。同様に、前記下支持部材３２は、奥行方向にわたって同一横幅を有し、前記脚板部３０へ連結する後部の固定部３８を除き、前部のアーム部３９は下面側が水平で且つ前方に向けて上下厚を漸減した概略形状を有している。そして、前記下支持部材３２のアーム部３９の上面側には、両側に約４５°の角度の側カット面３２Ａ，３２Ａを形成し、該側カット面３２Ａは前方に向けてカット幅を広くすることにより、上面３２Ｂの横幅を前方に向けて漸減させ、更に先端部に前記前カット面３１Ｃと逆に前下方傾斜した前カット面３２Ｃを形成している。ここで、支持強度を高くするために、前記上支持部材３１より下支持部材３２の方が相対的に上下厚さを厚くしているが、上支持部材３１との意匠的な統一を図るため、該下支持部材３２の下面側の両側部を段落ち状にカットして凹陥縁３２Ｄ，３２Ｄを形成している。また、前記化粧部材３３は、前面側の両側には約４５°の角度の側カット面３３Ａ，３３Ａを形成し、その中央部に円弧状に凹んだ円弧面３３Ｂを形成している。この化粧部材３３の円弧面３３Ｂの存在によって、前記端部脚体３及び中間部脚体４に前縁に陰影をつけることができ、正面視において脚体を細く見せることができる。
【００２７】
そして、前記化粧部材３３の上下端は、前記上支持部材３１のアーム部３７の後端部から湾曲して下方へ延びた立下部３７Ａと、前記下支持部材３２のアーム部３９の後端部から湾曲して上方へ延びた立上部３９Ａとに連続している。つまり、前記上支持部材３１の側カット面３１Ａ，３１Ａは、立下部３７Ａにも連続形成し、前記化粧部材３３の側カット面３３Ａ，３３Ａに連続するとともに、前記下面３１Ｂは平面から立下部３７Ａにかけて徐々に後方へ湾曲した円弧面に変化し、前記化粧部材３３の円弧面３３Ｂに連続している。また、前記下支持部材３２の側カット面３２Ａ，３２Ａは、立上部３９Ａにも連続形成し、前記化粧部材３３の側カット面３３Ａ，３３Ａに連続するとともに、前記上面３２Ｂは平面から立上部３９Ａにかけて徐々に後方へ湾曲した円弧面に変化し、前記化粧部材３３の円弧面３３Ｂに連続している。
【００２８】
ここで、前記上支持部材３１の固定部３６とアーム部３７の間には段落ち部３７Ｂを設け、該固定部３６を前記脚板部３０の上端部に固定した状態では、前記アーム部３７と脚板部３０の側面は面一になる。同様に、前記下支持部材３２の固定部３８とアーム部３９の間には段落ち部３９Ｂを設け、該固定部３８を前記脚板部３０の下端部に固定した状態では、前記アーム部３９と脚板部３０の側面は面一になる。そして、前記化粧部材３３と脚板部３０の間の接合線３３Ｃと、前記段落ち部３７Ｂ及び段落ち部３９Ｂが上下方向に直線上に位置する。それにより、上下に一本の線が通り、シャープな外観になる。
【００２９】
このように、前記上支持部材３１のアーム部３７と下支持部材３２のアーム部３９及び化粧部材３３の形状を前述のようにすることにより、側面視において、両アーム部３７，３９はスリムな先細として看取され、また前記化粧部材３３の横幅は側カット面３３Ａのみが見えるので非常に狭く看取される。また、正面視においても、両アーム部３７，３９はスリムな先細形状として看取され、前記化粧部材３３の横幅も円弧面３３Ｂのみが強調されて狭く看取される。そして、前記アーム部３７，３９と化粧部材３３とに形成された側カット面３１Ａ，３２Ａ，３３Ａが連続して強烈な個性を主張するので、前記脚板部３０と、上支持部材３１及び下支持部材３２と、化粧部材３３とが異なる製法で作製して多少の色艶に相違があったとしてもそれらを凌駕し、意匠的な一体感を醸し出すのである。また、前記Ｌ形天板１及び矩形天板２の前縁下部に斜縁２９を形成し、また上支持部材３１の前カット面３１Ｃとが略直線上に位置するので、上方から見ると天板の厚さが薄く見え、側面視においても天板１，２とアーム部３７との一体感を生み、上支持部材３１を薄く見せることができるので、シャープな印象を与えることができるのである。
【００３０】
各部の詳細について説明する。先ず、前記Ｌ形天板１及び矩形天板２は、木質系の板体であり、下面には所定位置に前記螺孔２０，…を設けるために、オニメナットを埋設しており、また位置決めのための係合穴４０，…も形成している。しかし、天板の構造は何ら限定されるものではない。
【００３１】
次に、前記端部脚体３と中間部脚体４について説明する。前述のように端部脚体３と中間部脚体４の相違点は脚板部３０の形状のみである。前記脚板部３０は、図５に示すように、前方開放した平面視略コ字形の胴板４１と、該胴板４１の前縁部間に介在させる断面略コ字形の前補強部材４２と、該胴板４１の上下端部に介装する断面略コ字形の上補強部材４３及び下補強部材４４から構成されている。前記上補強部材４３と下補強部材４４とは同一部材で、更に左右対称形であり、前記上支持部材３１の固定部３６又は下支持部材３２の固定部３８を受け入れて固定するための断面略コ字形の装着部４５と、該装着部４５の後端で左右中央部から後方へ延びた横幅が狭い当止部４６とで構成されている。そして、前記上補強部材４３は凹溝を上方へ向け、前記下補強部材４４は凹溝を下方へ向け、前記装着部４５の両側片４７，４７を前記胴板４１の両側面板４１Ａ，４１Ａの内面に接合するとともに、前記当止部４６の後端を前記胴板４１の後面板４１Ｂの内面に当止した状態で、側片４７を側面板４１Ａにスポット溶接して固定し、また前記装着部４５及び当止部４６の底板４８には前記上支持部材３１の固定部３６又は下支持部材３２の固定部３８をボルト４９，…にて締結するための螺孔５０，…を形成している。ここで、前記当止部４６の横幅を狭くした理由は、前記端部脚体３に用いる胴板４１には内側の側面板４１Ａに縦ダクト３４が凹設され、前記中間部脚体４に用いる胴板４１には内外両側の側面板４１Ａ，４１Ａに縦ダクト３４，３４が凹設されて、内部空間の幅が異なるにも係わらず、両方に上補強部材４３及び下補強部材４４を共用できるようにしたためである。
【００３２】
また、図５〜図７に示すように、前記Ｔ字形金具１２又は十字形金具１３を取付ける位置には、前記端部脚体３に用いるものは前記胴板４１の内側の側面板４１Ａの上部に切欠部５１を形成し、前記中間部脚体４に用いるものは前記胴板４１の内外両側の側面板４１Ａ，４１Ａの上部に切欠部５１，５１を形成する。また、前記上補強部材４３の両側片４７，４７で、前記切欠部５１，５１に対応する位置に若干小さい切欠部５２，５２を形成している。そして、前記上支持部材３１の固定部３６には、上方へ開放した凹陥部５３を形成し、該凹陥部５３の底面部にはリブ状の支持台５４を設けるとともに、前記上補強部材４３に締結するためのボルト４９，…を挿通する通孔５５，…を形成し、該凹陥部５３を形成する両立壁５６，５６で、前記支持台５４の両側部に対応し、且つ前記上補強部材４３の両側片４７，４７に形成した前記切欠部５１，５１に対応する位置に、上方開放した係合凹部５７，５７を形成している。ここで、前記上支持部材３１の固定部３６を、前記脚板部３０の上補強部材４３に固定した状態では、前記端部脚体３にあっては該脚板部３０の一方の側面板４１Ａの上部で前記上補強部材４３の一方の切欠部５２及び前記上支持部材３１の一方の係合凹部５７が塞がれているのに対し、前記中間部脚体４にあっては左右両側とも該脚板部３０の側面板４１Ａの切欠部５１から上補強部材４３の切欠部５２及び上支持部材３１の係合凹部５７が出現している。
【００３３】
前記化粧部材３３は、図５に示すように、前記胴板４１の両側面板４１Ａ，４１Ａの前縁部間にスポット溶接にて固定した前補強部材４２を隠蔽するように取付ける。前記化粧部材３３の後面側の両側部に形成した係合溝５８，５８を、前記胴板４１の両側面板４１Ａ，４１Ａの前縁に係合するとともに、前記上支持部材３１の立下部３７Ａの下端に設けた突起５９と、前記下支持部材３２の立上部３９Ａの上端に設けた突起５９を、前記化粧部材３３の上下端に嵌合する。
【００３４】
前記コーナー脚体５は、図８〜図１０に示すように、板金加工で作製した筒状構造を有し、前端面に前記化粧部材３３を設けるとともに、後端は平面視においてそれぞれ左右に４５°傾いた傾斜後面板６０，６０を直交状態で設けている。
【００３５】
そして、図５、図１５及び図１６に示すように、前記端部脚体３と中間部脚体４の後面板４１Ｂの上部には、上下一対となった係止具６１，６１を左右に２列、合計４個の係止具６１，…をネジ止めして突設している。この係止具６１は後面板４１Ｂに取付けた状態で上向きフックを構成する。また、前記コーナー脚体５の各傾斜後面板６０の上部にも一対の係止具６１，６１を上下に突設している。そして、前記幕板６の前面で両側部には、前記係止具６１，…に対応する位置に４つの係止孔６２，…を開口している。そして、前記幕板６の係止孔６２，…を対応する前記端部脚体３と中間部脚体４の後面板４１Ｂの係止具６１，…に上方から嵌合係止する。それから、押え金具６３を前記上支持部材３１の後端部にネジ６４で取付けると同時に、該押え金具６３の後端部の両側に形成した下向き爪６３Ａ，６３Ａを、前記幕板６の上端キャップ２１を取付けた部分のスチール板上端に形成した左右２つの係合段部６Ａ，６Ａに上方から係合して、当該幕板６の上動を規制し、前記係止孔６２から係止具６１が抜けるのを防止している。
【００３６】
ここで、前記端部脚体３に幕板６を連結する場合には、４つの前記係止具６１，…に幕板６の４つの係止孔６２，…を嵌合係止する。それに対して、前記中間部脚体４に幕板６，６を連結するには、図１６に示すように、正面視において、前記中間部脚体４の左列の上下係止具６１，６１に、左側の幕板６の外側列の係止孔６２，６２を嵌合係止し、該中間部脚体４の右列の上下係止具６１，６１に、右側の幕板６の外側列の係止孔６２，６２を嵌合係止する。つまり、前記幕板６の側端縁は、前記中間部脚体４の中中心線に一致する。この場合、前記押え金具６３の左側の下向き爪６３Ａは、左側の幕板６の外側の係合段部６Ａに係合するとともに、右側の下向き爪６３Ａは、右側の幕板６の外側の係合段部６Ａに係合する。即ち、一つの押え金具６３で、両側の幕板６，６を、同時に押さえ込むのである。
【００３７】
また、前記係止具６１の上部に形成したフック部６１Ａの前面側、即ち前記後面板４１Ｂに面する側の中央部に上方へ連続した溝部６１Ｂを形成し、該係止具６１に前記幕板６の係止孔６２を嵌合係止した際に、該係止孔６２の上部に後方側、即ち幕板６の内部側にスチール板をプレス加工して形成した突出部６２Ａを溝部６１Ｂに受け入れて嵌合するようになっている。このように、前記突出部６２Ａと溝部６１Ｂの存在によって、装着状態における幕板６の左右方向のガタツキを無くするとともに、係止孔６２を形成したスチール板の変形を防止して上下方向の支持強度も高めている。
【００３８】
同様に、前記コーナー脚体５の傾斜後面板６０に突設した係止具６１，６１に、前記幕板６の上下の係止具６１，６１を嵌合係止する。前記コーナー脚体５に嵌合係止した前記幕板６の上動を規制する押え手段も適宜設ける。また、図１０に示すように、前記コーナー脚体５の両傾斜後面板６０，６０に取付けた両幕板６，６の端部間には、四角形の化粧支柱６４を配設している。
【００３９】
次に、図５〜図１４に基づいて、前記端部脚体３とコーナー脚体５との間、コーナー脚体５と中間部脚体４との間、端部脚体３と中間部脚体４との間に、前記ビーム９，…を連結する構造を説明する。前記Ｔ字形金具１２は、図５及び図６に示すように、平面視略Ｔ字形のアルミダイキャスト製のブロック体であり、一端部に前記端部脚体３の上支持部材３１に取付ける取付部６５と、該取付部６５から側方へ延びた連結部６６とからなる。前記取付部６５は、上支持部材３１の凹陥部５３内に嵌合し、前記支持台５４に載置した状態で、該取付部６５に上下貫設した取付孔６５Ａ，６５Ａに、上方からボルト６７，６７を通して、前記支持台５４に形成した螺孔６８，６８に螺合する。そして、前記連結部６６の基部は、前記上支持部材３１の係合凹部５７に嵌合するとともに、上補強部材４３の切欠部５２と脚板部３０の切欠部５１を通して当該端部脚体３の内方へ突出する。また、前記取付部６５の連結部６６を設けた側とは反対側に係合凸部６９を突設し、該係合凸部６９を前記上支持部材３１の他方の係合凹部５７に嵌合して連結強度を高めている。また、前記連結部６６には、螺孔７０と貫通孔７１の対をその長手方向に前記端部脚体３の横幅の半分だけずらせて二対設けている。一方、前記ビーム９は、前記Ｔ字形金具１２の連結部６６に外嵌する寸法のスチール製の角パイプであり、前記螺孔７０と貫通孔７１に対応させた一対の取付孔７２と貫通孔７３を形成している。ここで、前記取付孔７２は、前記ビーム９の上面のみに形成し、前記貫通孔７３は上下面に貫通するように形成している。
【００４０】
そして、前記Ｔ字形金具１２の連結部６６に前記ビーム９の一端部を外嵌した後、上方から前記取付孔７２を通したネジ７４を連結部６６の一方の螺孔７０に螺合する。ここで、一対の端部脚体３，３と、矩形天板２を用いて平デスクを構成する場合には、図１１及び図１２に示すように、前記ビーム９を前記Ｔ字形金具１２の連結部６６の奥端まで嵌合し、基端側の螺孔７０を利用してネジ７４を螺合する。この際に、前記ビーム９の貫通孔７３と前記連結部６６の基端側の貫通孔７１とが一致するので、両者に下方からネジ１９を通し、前記矩形天板２の下面に形成した螺孔２０に螺合する。また、前記Ｌ形天板１の端部に端部脚体３を設けた場合にも、前記Ｔ字形金具１２の連結部６６とビーム９との連結状態は同じである。この場合、前記端部脚体３の外側面と前記Ｌ形天板１又は矩形天板２の側縁とは同一面上になる。
【００４１】
尚、前記Ｌ形天板１又は矩形天板２の下面の螺孔２０，…の位置は変わらないので、前記ビーム９の位置も天板に対して固定的である。図１１は、独立した平デスクを左右に並べて設置した場合であるが、連設部分に二つの端部脚体３，３が重なって重々しくなる。そこで、本実施形態では、矩形天板２，２同士、又はＬ形天板１と矩形天板２の連設部分に一つの中間部脚体４を用いて互に一体となったデスク構成とするのである（図１３参照）。そのため、次に説明する中間部脚体４を用いる場合に横方向の寸法調節が必要になる。
【００４２】
前記中間部脚体４の両側にビーム９，９を連結するには、図７、図１３及び図１４に示すように、前記十字形金具１３を用いる。前記十字形金具１３は、平面視略十字形のアルミダイキャスト製のブロック体であり、中央部に前記端部脚体３の上支持部材３１に取付ける取付部７５と、該取付部７５から両側方へ延びた連結部７６，７６とからなる。ここで、前記取付部７５は、前記Ｔ字形金具１２の取付部６５と略同じ形状であり、また前記連結部７６も前記Ｔ字形金具１２の連結部６６と略同じ形状である。つまり、前記取付部７５は、上支持部材３１の凹陥部５３内に嵌合し、前記支持台５４に載置した状態で、該取付部７５に上下貫設した取付孔７５Ａ，７５Ａに、上方からボルト７７，７７を通して、前記支持台５４に形成した螺孔６８，６８に螺合する。そして、前記連結部７６、７６の基部は、前記上支持部材３１の両係合凹部５７，５７に嵌合するとともに、上補強部材４３の切欠部５２，５２と脚板部３０の切欠部５１，５１を通して当該端部脚体３の両側方へ突出する。また、前記連結部７６には、螺孔７８と貫通孔７９の対をその長手方向に前記端部脚体３の横幅の半分だけずらせて二対設けている。
【００４３】
そして、前記十字形金具１３の連結部７６，７６に前記ビーム９，９の一端部を浅く外嵌した後、上方から前記取付孔７２を通したネジ８０を連結部７６の先端側の螺孔７８に螺合する。そして、図１３に示すように、前記ビーム９の貫通孔７３は前記連結部７６の先端側の貫通孔７９と一致するので、両者に下方からネジ１９を通し、前記Ｌ形天板１と矩形天板２の下面に形成した螺孔２０に螺合する。この場合、前記中間部脚体４の中心線はＬ形天板１と矩形天板２の接合線に一致する。尚、矩形天板２，２同士の連結においても同様である。
【００４４】
また、図８〜図１０に示すように、前記コーナー脚体５の上端の前部に固定した受け金具１４は、アルミダイキャスト製のブロック体であり、前記コーナー脚体５の上端に取付ける固定部８１と、該固定部８１から前方へ延び、前記連結金具１５，１５を角度調節可能に連結する二方連結部８２と、前記固定部８１の両側に延びた翼部８３，８３とを有している。前記固定部８１は、ボルト８４，…にて前記コーナー脚体５の上端に固定する。前記二方連結部８２は、外周が円弧状となっており、円弧状の外周縁に沿って三つの孔が連続した多連孔８５，８５を上下貫通形成している。ここで、両多連孔８５，８５の接近した内側の孔部から離間した外側の孔部へ三対あり、それぞれ内側から外側へ順に９０°、１２０°、１３５°の角度に、前記連結金具１５，１５をボルト８６で連結できるようになっている。また、前記連結金具１５は、アルミダイキャスト製のブロック体であり、前記受け金具１４の二方連結部８２に連結する基部８７と、該基部８７から延びた連結部８８とからなり、該連結部８８には前記ビーム９を外嵌した際に、前記取付孔７２に対応する位置に螺孔８９、前記貫通孔７３に対応する位置に貫通孔９０を形成している。そして、下方から前記貫通孔７３と貫通孔９０にネジ１９を通し、Ｌ形天板１の螺孔２０に螺合する。
【００４５】
また、図６に示すように、前記端部脚体３の上支持部材３１の前部に凹段部９１を形成し、該凹段部９１に前記短連結板１６の一端部を嵌合し、該端部に形成した取付孔９２，９２に上方からネジ９３，９３を挿通し、前記凹段部９１に形成した螺孔９４，９４に螺合して取付ける。そして、前記短連結板１６の突出側端部に形成した通孔９５を通してネジ１９をＬ形天板１又は矩形天板２の螺孔２０に螺合する。一方、図７に示すように、前記中間部脚体４の上支持部材３１の凹段部９１に、前記長連結板１７の中央部を嵌合するとともに、該中央部に形成した取付孔９２，９２に上方からネジ９３，９３を挿通し、前記凹段部９１の螺孔９４，９４に螺合して取付ける。そして、前記長連結板１７の両突出端部に形成した通孔９５，９５を通してネジ１９，１９をＬ形天板１と矩形天板２の螺孔２０，２０にそれぞれ螺合する。尚、前記上支持部材３１の前端部には、上下に貫通した連結孔９６を形成してあり、前記端部脚体３では下方から固定ネジ９７を挿通してＬ形天板１又は矩形天板２の螺孔２０に螺合する。
【００４６】
このように、下方から複数箇所でネジ１９，…や固定ネジ９７をＬ形天板１と矩形天板２の複数の螺孔２０，…に位置を合わせて螺合する必要がある。この位置決めを容易にするために、前記Ｔ字形金具１２、十字形金具１３、受け金具１４、短連結板１６及び長連結板１７の上面にダボ９８，…を突設し、前記Ｌ形天板１と矩形天板２の下面の所定位置に予め形成しておいた前記係合穴４０，…に係合するようにしている。
【００４７】
このようにデスクの基本構成は完成するが、前記幕板６の背後に目隠しパネル７を取付けるには、図３、図１５及び図１７に示すように、前記幕板６の両側下端に前記受片２２，２２を取付け、また目隠しパネル７の前面両側部に前記係止金具２３，２３を取付けておき、該係止金具２３の下端の突片２６を、前記幕板６の下端後方に臨んだ前記受片２２の係合孔２５に落とし込むと同時に、前記係止金具２３の上端のフック片２７を、前記幕板６の両側上端に取付けた上端キャップ２１の傾斜面２４に載支し、該フック片２７に形成した通孔９９に上方から挿通した固定ネジ１００を前記傾斜面２４に形成した螺孔１０１に螺合して取付ける。ここで、前記係止金具２３のフック片２７が上端キャップ２１の傾斜面２４に載支したので、前記目隠しパネル７の自重によって前記幕板６の背面に接近するように作用するので、前記固定ネジ１００を螺孔１０１に螺合する前に前記目隠しパネル７から手を離してもその状態は維持されている。
【００４８】
また、図１５〜図１７に示すように、前記幕板６の両側上端部の上端キャップ２１と、前記係止金具２３の上端部と、前記押え金具６３と、更に前記上支持部材３１の後端部とを隠蔽するための化粧キャップ１０２を嵌着している。ここで、前記化粧キャップ１０２は、前記幕板６の外形に連続するキャップ本体１０２Ａと前記ダクト開口１０に延びた鍔部１０２Ｂを有し、下方に開放した形状であり、前記キャップ本体１０２Ａの後壁部１０２Ｃが、前記係止金具２３の上端を前方へ板厚分だけ段折りすることによって形成された隙間１０３に挿入される。尚、前記化粧キャップ１０２の保持は、キャップ本体１０２Ａの下端に突設した爪部１０２Ｄを前記上端キャップ２１の適所又は幕板６に形成した係合部に係合させる等で保持する。
【００４９】
次に、図１８〜図２４に基づいて更に本発明を詳細に説明する。特に工夫をした部分は、前記端部脚体３及び中間部脚体４を構成する脚板部３０の構造である。前述のように、前記端部脚体３及び中間部脚体４において、上支持部材３１と下支持部材３２は共用することは既に説明した。そして、前記端部脚体３及び中間部脚体４で異なる構造は、脚板部３０の胴板４１の形状のみであることも説明した。本発明では、前記脚板部３０として安価に製造できる板金加工を採用し、強度を高めるために周囲が閉じた袋状構造としたのである。即ち、両側面板４１Ａ，４１Ａと後面板４１Ｂとで平面視略コ字形に折曲形成した胴板４１の前端開放部に前補強部材４２を溶接して塞ぎ、また上下開放部に上補強部材４３と下補強部材４４を溶接して塞ぎ、略閉じた偏平な箱型構造としたのである。そして、前記上補強部材４３と下補強部材４４は、全く同一の部材であり、上下反転して使用している。また、前記上補強部材４３及び下補強部材４４は、端部脚体３と中間部脚体４とに共用できるように、左右対称形に構成している。
【００５０】
そして、前記脚板部３０の胴板４１は、図１８、図２０、図２１及び図２２に示すように、前記両側面板４１Ａ，４１Ａの上縁と前縁とにそれぞれ内向きに対向するように折曲して上折曲縁４１Ｃ，４１Ｃと前折曲縁４１Ｄ，４１Ｄを形成している。また、図１９に示すように、前記両側面板４１Ａ，４１Ａの下縁に内向きに対向するように折曲して下折曲縁４１Ｅ，４１Ｅを形成している。また、前記縦ダクト３４の上端部は前記上補強部材４３の固定部３６を逃すために切欠部４１Ｆを形成している。前記前補強部材４２は、断面略コ字形であり、前方へ向いた両折曲片４２Ａ，４２Ａを有している。また、前記上補強部材４３は、上方開放した断面略コ字形の装着部４５と該装着部４５の後端中央部から後方へ延びた幅狭の当止部４６を有し、前記装着部４５の両側片４７，４７を部分的に外側へ突出した溶接部４７Ａ，…を形成し、また前記当止部４６の両側片４６Ａ，４６Ａも溶接部となっている。また、前記当止部４６の後端には後方へ円弧状に突出した接触部４６Ｂを形成している。ここで、前記当止部４６の横幅は、図２４に示すように、前記中間部脚体４に用いる脚板部３０の両縦ダクト３４，３４の内面間隔と一致させ、また全長にわたって同一横幅である。前記下補強部材４４は、前記上補強部材４３と全く同一であるので、同一符号を用いて、詳細な説明は省略する。
【００５１】
そして、前記胴板４１に、前記上補強部材４３、下補強部材４４及び前補強部材４２を溶接する。その溶接手順は以下のようである。先ず、前記胴板４１の両側面板４１Ａ，４１Ａの前部を若干押し広げた状態で、前記前折曲縁４１Ｄ，４１Ｄの間を通して前方から前記上補強部材４３を挿入し、前記当止部４６の接触部４６Ｂを胴板４１の後面板４１Ｂに当止するとともに、前記両側片４７，４７の上端縁を前記上折曲縁４１Ｃ，４１Ｃに当止して位置決めし、片方の側面板４１Ａに前記溶接部４７Ａ，…をスポット溶接する。それから、前記前補強部材４２を前記両側面板４１Ａ，４１Ａの前端部間に挿入し、両折曲片４２Ａ，４２Ａの端縁を前記前折曲縁４１Ｄ，４１Ｄに当止するとともに、上端を前記上補強部材４３の底板４８に当止して位置決めした状態で、同じく片方の側面板４１Ａに前記折曲片４２Ａをスポット溶接する。そして、前記側面板４１Ａ，４１Ａの下部の前部を若干押し広げた状態で、前記前折曲縁４１Ｄ，４１Ｄの間を通して前方から前記下補強部材４４を挿入し、前記当止部４６の接触部４６Ｂを胴板４１の後面板４１Ｂに当止するとともに、底板４８を前記前補強部材４２の下端に当止して位置決めし、同じく片方の側面板４１Ａに前記溶接部４７Ａ，…をスポット溶接する。最後に、他方の側面板４１Ａに前記上補強部材４３及び下補強部材４４の溶接部４７Ａ，…と前記前補強部材４２の折曲片４２Ａをスポット溶接する。ここで、前記当止部４６の側片４６Ａも前記縦ダクト３４の内面にスポット溶接する。更に、強度を高めるために、前記当止部４６の接触部４６Ｂを胴板４１の後面板４１ＢにＣＯ2溶接することもある。
【００５２】
尚、前記上補強部材４３の両側の溶接部４７Ａ，…と当止部４６の側片４６Ａとも、最初に前記胴板４１の両側面板４１Ａ，４１Ａにスポット溶接することも可能である。その場合、前記前補強部材４２は、両側面板４１Ａ，４１Ａの前折曲縁４１Ｄ，４１Ｄ間を通過できるように回転させながら前方から挿入し、片方の側面板４１Ａに一方の前記折曲片４２Ａをスポット溶接する。そして、両側面板４１Ａ，４１Ａの下部の前部を押し広げて前記下補強部材４４を前方から挿入して位置決め後、両側面板４１Ａ，４１Ａに溶接部４７Ａ，…をスポット溶接する。最後に、残りの前記折曲片４２Ａを側面板４１Ａにスポット溶接する。
【００５３】
このように、前記上補強部材４３及び下補強部材４４は、前記胴板４１の両側面板４１Ａ，４１Ａの上縁に上折曲縁４１Ｃ，４１Ｃを有し、下縁に下折曲縁４１Ｅ，４１Ｅを有し、上下方向から挿入できなくても、前記当止部４６を幅狭で前後方向に同一横幅に形成したことにより、前方から挿入できるのである。
【００５４】
このように板金加工によって作製した前記脚板部３０の上補強部材４３の装着部４５に、前記上支持部材３１の固定部３６を上方から嵌合し、ボルト４９，…を通孔５５，…に挿通して底板４８に形成した螺孔５０，…に螺合するのである。ここで、前記固定部３６の下部両側には、前記縦ダクト３４を逃すための凹部３６Ａ，３６Ａを形成している。同様に、前記脚板部３０の下補強部材４４の装着部４５に、前記下支持部材３２の固定部３８を嵌合してボルト止めする。ここで、前記下支持部材３２の固定部３８の上部両側にも、前記縦ダクト３４を逃すための凹部３８Ａ，３８Ａを形成するとともに、該固定部３８の後部両側と凹部３８Ａ，３８Ａ内には、前記胴板４１の下端を当止する位置決め用のリブ３８Ｂを突設している。前記上支持部材３１の両凹部３６Ａ，３６Ａの間の部分は、前記上補強部材４３の当止部４６の両側片４６Ａ，４６Ａ間に嵌合し、同様に前記下支持部材３２の凹部３８Ａ，３８Ａの間の部分は、前記下補強部材４４の当止部４６の両側片４６Ａ，４６Ａ間に嵌合する。そして、前記上支持部材３１と下支持部材３２を前記脚板部３０の上下端部に固定する際に、前記化粧部材３３の両係合溝５８，５８を脚板部３０の前折曲縁４１Ｄ，４１Ｄに係合させるとともに、前記上支持部材３１の立下部３７Ａと下支持部材３２の立上部３９Ａのそれぞれに突設した突起５９，５９を、該化粧部材３３の上下端の空間部３３Ａ，３３Ａに嵌入して保持する。
【００５５】
そして、前記脚板部３０の上端部に上補強部材４３を固定した状態では、該上補強部材４３の上端が脚板部３０の上折曲縁４１Ｃ，４１Ｃから若干突出し、前記上補強部材４３に前記Ｌ形天板１又は矩形天板２が載置された状態で取付けられた際に、該天板の側縁と上補強部材４３の上端及び上折曲縁４１Ｃとで水平な目地部が形成される。また、前記脚板部３０の下端部に下補強部材４４を固定した状態では、該下補強部材４４の凹陥縁３２Ｄと前記脚板部３０の下折曲縁４１Ｅ，４１Ｅとが同一直線上に位置する。
【図面の簡単な説明】
【００５６】
【図１】本発明に係る組立式デスクの代表的構成例を示す全体斜視図である。
【図２】同じく端部脚体側から見た側面図である。
【図３】同じく縦断面図である。
【図４】端部脚体の形状を示す部分斜視図である。
【図５】端部脚体の構造と天板との関係を示す分解斜視図である。
【図６】端部脚体と天板との組立構造を示す分解斜視図である。
【図７】中間部脚体と天板との組立構造を示す分解斜視図である。
【図８】受け金具と連結金具を取付けた状態のコーナー脚体の側面図である。
【図９】同じくコーナー脚体の平面図である。
【図１０】Ｌ型デスクのコーナー部の構造を示す部分平面図である。
【図１１】平デスクを左右に並べて設置した状態の省略平面図である。
【図１２】平デスクを構成する場合のＴ字形金具とビームの連結形態を示し、（ａ）は一部省略平面図、（ｂ）は一部省略断面図である。
【図１３】Ｌ型デスクと平デスクを連設するデスク構成における中間部脚体、十字形金具及びビームとの関係を示す省略平面図である。
【図１４】十字形金具とビームの連結形態を示し、（ａ）は一部省略平面図、（ｂ）は一部省略断面図である。
【図１５】脚体の後端部に幕板と目隠しパネルを取付ける構造を示す分解断面図である。
【図１６】中間部脚体に幕板の取付ける構造を示す部分斜視図である。
【図１７】脚体の後端部に幕板と目隠しパネルを取付けた状態の部分断面図である。
【図１８】端部脚体の上部構造を示す分解斜視図である。
【図１９】端部脚体の下部構造を示す分解斜視図である。
【図２０】端部脚体に用いる脚板部の上部の部分斜視図である。
【図２１】同じく脚板部の平面図である。
【図２２】同じく脚板部の上部の部分側面図である。
【図２３】同じく脚板部の上部の部分正面図である。
【図２４】中間部脚体に用いる脚板部の平面図である。
【符号の説明】
【００５７】
１  Ｌ形天板            ２  矩形天板
３  端部脚体            ４  中間部脚体
５  コーナー脚体        ６  幕板
７  目隠しパネル        ８  上キャビネット
９  ビーム              １０  ダクト開口
１１  支柱              １２  Ｔ字形金具
１３  十字形金具        １４  受け金具
１５  連結金具          １６  短連結板
１７  長連結板          １８  固定板
１９  ネジ              ２０  螺孔
２１  上端キャップ      ２２  受片
２３  係止金具          ２４  傾斜面
２５  係合孔            ２６  突片
２７  フック片          ２８  凹部
２９  斜縁              ３０  脚板部
３１  上支持部材        ３２  下支持部材
３３  化粧部材          ３４  縦ダクト
３５  ダクトカバー      ３６  固定部
３７  アーム部          ３８  固定部
３９  アーム部          ４０  係合穴
４１  胴板              ４１Ａ  側面板
４１Ｂ  後面板          ４２  前補強部材
４３  上補強部材        ４４  下補強部材
４５  装着部            ４６  当止部
４７  側片              ４８  底板
４９  ボルト            ５０  螺孔
５１  切欠部            ５２  切欠部
５３  凹陥部            ５４  支持台
５５  通孔              ５６  立壁
５７  係合凹部          ５８  係合溝
５９  突起              ６０  傾斜後面板
６１  係止具            ６２  係止孔
６３  押え金具          ６４  化粧支柱
６３Ａ  下向き爪        ６Ａ  係合段部
６５  取付部            ６６  連結部
６７  ボルト            ６８  螺孔
６９  係合凸部          ７０  螺孔
７１  貫通孔            ７２  取付孔
７３  貫通孔            ７４  ネジ
７５  取付部            ７６  連結部
７７  ボルト            ７８  螺孔
７９  貫通孔            ８０  ネジ
８１  固定部            ８２  二方連結部
８３  翼部              ８４  ボルト
８５  多連孔            ８６  ボルト
８７  基部              ８８  連結部
８９  螺孔              ９０  貫通孔
９１  凹段部            ９２  取付孔
９３  ネジ              ９４  螺孔
９５  通孔              ９６  連結孔
９７  固定ネジ          ９８  ダボ
９９  通孔              １００  固定ネジ
１０１  螺孔            １０２  化粧キャップ
１０３  隙間
【図１】
0004788317.tif 000002
【図２】
0004788317.tif 000003
【図３】
0004788317.tif 000004
【図４】
0004788317.tif 000005
【図５】
0004788317.tif 000006
【図６】
0004788317.tif 000007
【図７】
0004788317.tif 000008
【図８】
0004788317.tif 000009
【図９】
0004788317.tif 000010
【図１０】
0004788317.tif 000011
【図１１】
0004788317.tif 000012
【図１２】
0004788317.tif 000013
【図１３】
0004788317.tif 000014
【図１４】
0004788317.tif 000015
【図１５】
0004788317.tif 000016
【図１６】
0004788317.tif 000017
【図１７】
0004788317.tif 000018
【図１８】
0004788317.tif 000019
【図１９】
0004788317.tif 000020
【図２０】
0004788317.tif 000021
【図２１】
0004788317.tif 000022
【図２２】
0004788317.tif 000023
【図２３】
0004788317.tif 000024
【図２４】
0004788317.tif 000025